(57)【要約】      （修正有）【課題】画像表示装置や撮像装置と、テーブルとの適切な関係をより簡単、適切、かつ柔軟に構成、変更できるようにしたミーティングシステムを提供する。【解決手段】画像表示装置であるディスプレイ１を支持する支持体と、この支持体の隣接位置に配置されるテーブル３とを組み合わせて構成されるものであって、支持体とテーブル３の間に両者を突き当てた際に相対的な位置決めをなす位置決め手段たる棚４を設け、テーブル３の使用縁３１に沿った所定範囲であってその使用縁３１から周囲に向かい所定距離離れた位置までの間を複数人が着座可能な着座領域とした場合に、この着座領域がディスプレイ１の特性（主として種類）に応じた適正受像角内に収まり、且つ、この着座領域がディスプレイ１の特性（主としてサイズ）に応じた適正離間距離内に収まるように、位置決め手段たる棚４による支持体とテーブル３との相対位置が設定されるようにした。【選択図】図２
2014093747.tif 000002
【特許請求の範囲】
【請求項１】
画像表示装置を支持する表示装置支持体と、この表示装置支持体の隣接位置に配置されるテーブルとを組み合わせてなるミーティングシステムであって、
前記表示装置支持体と前記テーブルの間に両者を突き当てた際に相対的な位置決めをなす位置決め手段を設け、前記テーブルの使用縁に沿った所定範囲であって当該使用縁から周囲に向かい所定距離離れた位置までの間を複数人が着座可能な着座領域とした場合に、この着座領域が前記画像表示装置の特性に応じた適正受像角内に収まり、且つ、この着座領域が前記画像表示装置の特性に応じた適正離間距離内に収まるように、前記位置決め手段による前記表示装置支持体と前記テーブルとの相対位置が設定されていることを特徴とするミーティングシステム。
【請求項２】
前記表示装置支持体または前記画像表示装置が撮像装置支持部を有し、前記着座領域が前記撮像装置支持部に支持された撮像装置の特性に応じた適正撮像角に収まり、且つ、この着座領域が前記撮像装置の特性に応じた適正離間距離内に収まるように、前記位置決め手段による前記テーブルと前記撮像装置支持部との相対位置が設定されている請求項１に記載のミーティングシステム。
【請求項３】
表示装置支持体とテーブルの間を接続する配線ダクトを設け、前記着座領域の一部が適正受像角から外れるときに、前記着座領域が前記適正受像角内に収まり、かつ前記適正距離内に収まる位置にまでテーブルが表示装置支持体から離れても配線ダクトが配線状態を維持するように構成されている請求項１又は２に記載のミーティングテーブル。
【請求項４】
表示装置支持体とテーブルの間を接続する配線ダクトを設け、前記着座領域の一部が適正撮像角内に収まり、かつ前記適正距離内に収まる位置にまでテーブルが表示装置支持体から離れても配線ダクトが配線状態を維持するように構成されている請求項２に記載のミーティングテーブル。
【請求項５】
表示装置支持体が一部に棚を有し、この棚が前記テーブルと略面一に突き合わせられる位置に配置されて前記位置決め手段として機能する請求項１〜４の何れかに記載のミーティングシステム。
【請求項６】
棚の前縁の形状と、テーブルの対応縁部の形状とが、所定範囲に亘って突き当たるように関連づけられている請求項５に記載のミーティングシステム。
【請求項７】
表示装置支持体に対するテーブルの離間位置が適正離間距離内に収まるように配線ダクトによって両者間の最大離間距離を規制している請求項３又は４に記載のミーティングテーブル。
【請求項８】
配線ダクトによる接続状態が維持される範囲での最大離間位置において表示装置支持体とテーブルの間に着座領域が形成される請求項３、４又は７に記載のミーティングシステム。
【発明の詳細な説明】
【技術分野】
【０００１】
本発明は、オフィス等においてディスプレイ等を中心としたミーティングを行う際に有効に活用できるミーティングシステムに関するものである。
【背景技術】
【０００２】
近年、オフィス内にディスプレイやモニター等の画像表示装置を中心として当該表示装置支持台やテーブル、カメラ等の撮像装置をレイアウトし、チームメンバーの間で画像表示装置を使いながら情報共有をしたり、遠隔地にいる他のメンバーとの間で画像表示装置を通じたコミュニケーションを図る機会が益々増えている。
【０００３】
このような場合、テーブルに着座した者が画像表示装置を適切に視認でき、また、着座者が撮像装置の撮像範囲に適切に収まらないと、効果的な情報共有やコミュニケーションを図ることができない。
【０００４】
そこで、画像表示装置を設置し、これにテーブルを方向や離間距離を手作業で調整しながら隣接させて、テーブル上のパーソナルコンピュータと画像表示装置の間をケーブルで接続することによって、ミーティングの環境を整えるのが通例であり、撮像装置を用いる場合には、これを画像表示装置やその支持台に取り付けるなどして、テーブルに着座した者が適切に撮像されるか否かを併せて考慮しながらテーブルを手探りで調整しているのが通例である。
【０００５】
テレビ会議に特化した例としては、特許文献１に示すものが挙げられる。このものは、天板の縁部に沿って一人または複数人が着座して利用可能なテーブルと、撮像装置及び画像表示装置を支持する支持部を有した移動台と、前記移動台を前記天板の周囲において少なくとも第１の移動位置および第２の移動位置に移動させた際にそれぞれ天板に対する相対距離を一義的に保つように移動台と天板を構造的に関連づける関連手段とを具備して構成されている。
【先行技術文献】
【特許文献】
【０００６】
【特許文献１】特開２０１２−３９１９５号公報
【発明の概要】
【発明が解決しようとする課題】
【０００７】
しかしながら、上述した手作業の調整による場合だと、画像表示装置とテーブルの相対位置は、椅子に着座した者がテーブルに就いてみないと実際に画面がよく見えるか、撮像範囲にうまく収まっているかはわからず、テーブルの配置を繰り返し再調整しなければならないことが少なくない。
【０００８】
一方、特許文献１のものは、移動台とテーブルが常に１対１で連結されているため、移動台を一義的に移動させて人数に応じたテレビ会議の適切な環境を簡単に切り替えることができる点では優れるが、ミーティング時には画面により密接しテレビ会議時には少し離れて着座することが望ましい場合や、ディスプレイに対してテーブルの向きを変更したいといった要望、さらには違う種類のテーブルを組み合わせて使用したいといった要請などには応えることができないものである。さらに、人数の増減によってディスプレイと着座位置との距離を変更する必要が生じる場合もあるが、このような状況にも対応することが難しいものである。
【０００９】
本発明は、このような実情に鑑み、画像表示装置や撮像装置と、テーブルとの適切な関係をより簡単、適切、かつ柔軟に構成、変更できるようにしたミーティングシステムを提供することを目的としている。
【課題を解決するための手段】
【００１０】
本発明は、かかる目的を達成するために、次のような手段を講じたものである。
【００１１】
すなわち、本発明のミーティングシステムは、画像表示装置を支持する表示装置支持体と、この表示装置支持体の隣接位置に配置されるテーブルとを組み合わせたものであって、
前記表示装置支持体と前記テーブルの間に両者を突き当てた際に相対的な位置決めをなす位置決め手段を設け、前記テーブルの使用縁に沿った所定範囲であって当該使用縁から周囲に向かい所定距離離れた位置までの間を複数人が着座可能な着座領域とした場合に、この着座領域が前記画像表示装置の特性に応じた適正受像角内に収まり、且つ、この着座領域が前記画像表示装置の特性に応じた適正離間距離内に収まるように、前記位置決め手段による前記表示装置支持体と前記テーブルとの相対位置が設定されていることを特徴とする。
【００１２】
このように構成すれば、テーブルを表示装置支持体に対して所定位置に移動させるだけで、位置決め手段により着座領域が適正に位置決めされて、画像が見やすい範囲に自ずと着座することができる。このため、テーブルの位置調整を繰り返す必要もなく、テーブルは表示装置支持体に対して非拘束にできるため必要であれば画像表示装置からテーブルを離して利用することも可能になる。そして、このような基準で支持体とテーブルを構成すれば、ミーティング時には画面により密接しテレビ会議時には少し離れて着座することが望ましい場合や、ディスプレイに対してテーブルの向きを変更したいといった要望、さらには違う種類のテーブルを使いたいといった要請にも応えることができ、人数の増減によってディスプレイと着座位置との間の適正距離の変更にも有効に対応することができるようになる。
【００１３】
特に、テレビ会議等にも対応可能とするためには、前記表示装置支持体または前記画像表示装置が撮像装置支持部を有し、前記着座領域が前記撮像装置支持部に支持された撮像装置の特性に応じた適正撮像角に収まり、且つ、この着座領域が前記撮像装置の特性に応じた適正離間距離内に収まるように、前記位置決め手段による前記テーブルと前記撮像装置支持部との相対位置が設定されていることが望ましい。
【００１４】
表示装置支持体とテーブルの間を接続する配線ダクトを設ける場合には、前記着座領域の一部が適正受像角から外れるときに、前記着座領域が前記適正受像角内に収まり、かつ前記適正距離内に収まる位置にまでテーブルが表示装置支持体から離れても配線ダクトが配線状態を維持するように構成しておくことが有効である。
【００１５】
或いは、表示装置支持体とテーブルの間を接続する配線ダクトを設ける場合には、前記着座領域の一部が適正撮像角内に収まり、かつ前記適正距離内に収まる位置にまでテーブルが表示装置支持体から離れても配線ダクトが配線状態を維持するように構成しておくことが有効である。
【００１６】
位置決め手段の好ましい実施の一態様としては、表示装置支持体が一部に棚を有し、この棚が前記テーブルと略面一に突き合わせられる位置に配置されて前記位置決め手段として機能するものが挙げられる。
【００１７】
この場合、位置決め機能を高めるためには、棚の前縁の形状と、テーブルの対応縁部の形状とが、所定範囲に亘って突き当たるように関連づけられていることが望ましい。
【００１８】
無造作にテーブルを引き離しても適正距離が崩れないようにするためには、表示装置支持体に対するテーブルの離間位置が適正離間距離内に収まるように配線ダクトによって両者間の最大離間距離を規制していることが好都合である。
【００１９】
着座領域を十分に確保するためには、配線ダクトによる接続状態が維持される範囲での最大離間位置において表示装置支持体とテーブルの間に着座領域が形成されていることが望ましい。
【発明の効果】
【００２０】
本発明は、以上説明した構成であるから、表示装置支持部にテーブルを突き合わせるだけで、画像表示装置を中心としたミーティング、更には撮像装置を併用したテレビ会議的なミーティングの環境を簡単、適切に構成できる、優れたミーティングシステムを提供することが可能となる。
【図面の簡単な説明】
【００２１】
【図１】本発明の一実施形態に係るミーティングシステムを示す斜視図。
【図２】同ミーティングシステムを椅子とともに示す斜視図。
【図３】同ミーティングシステムを配線ダクトを含めて模式的に示す側面図。
【図４】同ミーティングシステムの着座領域を説明するための図。
【図５】同ミーティングシステムの受像角、適正距離、撮像角、視野角を模式的に説明するための図。
【図６】同ミーティングシステムの利用方法を説明するための図。
【図７】同ミーティングシステムの他の利用方法を説明するための図。
【発明を実施するための形態】
【００２２】
以下、本発明の一実施形態を、図面を参照して説明する。
【００２３】
図１および図２に示す本実施形態のミーティングシステムＭＳは、画像表示装置であるディスプレイ１を支持する表示装置支持体２（以下、単に支持体と称する）にテーブル３を突き当て、テーブル３の周囲の椅子Ｃにメンバーが着座して、パーソナルコンピュータＰＣからディスプレイ１に画像を表示して画像を見ながらミーテイングしたり、撮像装置たるカメラ５を併用して遠隔地にいる他のメンバーとディスプレイ１を介して擬似的に同席状態でテレビ会議的にミーティングを行うことができるように構成されたものである。
【００２４】
支持体２は、図１〜図３に示すように、左右の支柱２１，２１を利用して上下の内パネル２２、２３、および上下の外パネル２４，２５を着脱可能に取り付けた壁体状のもので、所定高さ位置において支柱２１の前面側における上段位置と中段位置にそれぞれ適宜の取付構造によってディスプレイ１と棚４が取り付けられている。棚４の前縁４ａは平面視において緩やかに湾曲する凹状をなしている。外パネル２５を外した際に露出する位置には配線ダクト２６が設けられ、前パネル２２，２３の適宜位置から支持体２の中空部に引き込んだ配線類の集線処理をこの支持体２内において一括して行い得るようにしている。
【００２５】
一方、この実施形態のテーブル３は、天板３１が長手方向（Ｘ方向）と短手方向（Ｙ方向）とで距離が異なる異形状のもので、使用縁である長手方向（Ｘ方向）に延びる縁部（以下、長縁部と称する）３１ａ、３１ａおよび短手方向（Ｙ方向）に延びる縁部（以下、短縁部と称する）３１ｂ、３１ｂが緩やかに湾曲して長円ないし楕円状をなす天板３１の外形を形成している。前記棚４に対しては、緩やかな凸状を描く長縁部３１ａが所定範囲に亘って棚４の前縁４ａに突き当たるように、当該長縁部３１ａの形状と棚４の前縁４ａの形状とが凹凸で対応しており、この位置で支持体２に対する天板３１の相対位置が向き（回転方向）を含めて定まるようにしている。すなわち、棚４はＹ方向およびＸ方向に対してテーブル３の位置決め手段としての機能を有している。天板３は、長軸方向（Ｘ方向）の２箇所がそれぞれ脚３２に支持され、脚３２は下端が二股に分かれて計４点でキャスタ３２ａを介して床に安定接地している。キャスタ３２ａにはストッパ機能が付いている。
【００２６】
天板３の中央には配線挿通用の開口部３３が形成され、この開口部３３に一対の蓋３４が開閉可能に取り付けられている。開口部３３の下方には配線ボックス３５が取り付けられている。
【００２７】
ここで、図４に斜線で示すように、テーブル３の使用縁３１ａ、３１ｂに沿って所定範囲、かつ当該使用縁３１ａ、３１ｂから周囲に向かい所定距離離れた位置までの間を複数人が椅子Ｃを使って着座可能な着座領域Ａと呼ぶこととする。この着座領域Ａは、椅子Ｃを利用してテーブル３の周囲に着座した者が当該テーブル３の縁部３１ａ、３１ｂとどの程度の距離で着座するかを示す領域のことで、本発明者が検討したところによると、テーブル３の使用縁３１ａ、３１ｂから６００ｍｍ〜８００ｍｍ離れた位置に椅子Ｃの背凭れ後部Ｃｂが位置する状態で着座するのが一般的であることが確認されている。
【００２８】
ディスプレイ１は、これに対峙した者が受像する際の画面に対する角度θ（図５（ａ）参照）のうち、その特性（主として液晶、プラズマ、有機ＥＬ等の種類）に応じた適正受像角θｘがあると同時に、近すぎると見づらく遠すぎると見えにくいことから、ディスプレイ１から着座者までの距離ｄのうちディスプレイ１の特性（主として３２インチ、４２インチ等のサイズ）に応じた適正離間距離Ｄｘ１があることがわかっている。そこで、棚４によって位置決めされたテーブル３は、図４に示す着座領域Ａが前記ディスプレイ１の適正受像角θｘ内に収まり、且つ、適正離間距離Ｄｘ１内に収まるように、前記棚４やテーブル３の大きさ、形状等が設定されている。本発明者が実験したところ、画面サイズ（インチサイズ）と適正離間距離Ｄｘ１についてミーティングに最適な関係を見出した。すなわち、画面に一番近い見え易い距離ｄ１は画面サイズ（インチサイズ）×０．０３あたりにあり、画面に一番遠い見え易い距離ｄ２は画面サイズ×０．０６あたりにあることが確認されている。例えば、３７インチの場合、画面に一番近い見え易い距離ｄ１は３７×０．０３＝１．１１ｍ、画面に一番遠い見え易い距離ｄ２は３７×０．０６＝２．２２ｍである。
【００２９】
さらに、前記支持体２の棚４の一部には一定範囲で画像装置支持部４ｘが設定され、この画像装置支持部４ｘにカメラ５が設置されている。このカメラ５は、テーブル３に着座した者の画像を取得して通信により相手方のディスプレイに当該画像を映し出すためのもので、図５（ｂ）に示すようにカメラ５が捕捉できる視野角すなわち撮像角φはカメラ５の特性によって異なるが、現在のテレビ会議用のカメラにおいて適正撮像角φｘはほとんど７０度あたりにあることを確認している。また、カメラ５にも、撮像対象までの距離ｄのうち、ピントが合うかどうか、或いは、コミュニケーションを図る上で必要な表情変化等を撮像できるか否か等を考慮した適正離間距離Ｄｘ２がある。この実施形態では、棚４の所定位置にカメラ５を置き、テーブル３を棚４から適正離間距離Ｄｘ２だけ離した場合に、図４に示した着座領域Ａが前記カメラ支持部２に支持されたカメラ５の適正撮像角φｘ内に収まるように、棚４の大きさや形状が設定されている。カメラ５にとっての適正離間距離Ｄｘ２は、ディスプレイ１にとっての適正離間距離Ｄｘ１と重なる範囲があって、その範囲に着座領域Ａを確保することができるように形状設計、機種選定等がなされている。勿論、テーブル３を棚４に突き当てた状態でも適正離間距離Ｄｘ２が得られるようにテーブル３や棚４の大きさや形状、カメラ５の機能を選定してもよいのは言うまでもない。この場合、使用縁３１に沿ってどこからどこまでが着座領域Ａであるかを表す目印をテーブル３に付しておくことが有効であり、棚４上でカメラ５の適切な設置場所が限られている場合には当該カメラ５の適切な設置位置を示す目印を棚４に付しておくことも有効である。
【００３０】
さらに、この実施形態は、図３に示すように支持体２とテーブル３の間を配線ダクト６によって接続している。この配線ダクト６は、ダクト構成要素６ａを多数連ねたもので、支持体２の棚４の下面に取り付けたケース４０内に収められ、基端をケース４０に固定し、先端をケース４０より外部に引き出してテーブル３の下面に固定している。ダクト構成要素６ａは、直線形状と湾曲形状の間で変形可能なもので、先端からの押し引きの力を順次隣接するダクト構成要素６ａに伝えて、ケース４０内に撓んだ状態で収まっている配線ダクト６を引き出し、或いは引き出した配線ダクト６をケース４０内に押し込んで撓んだ状態で収めることができるようにされている。このようにして、この配線ダクト６は、当該支持体２とテーブル３とが上記適正離間距離Ｄｘ１、Ｄｘ２を満たす範囲でどの相対関係にあっても接続状態を維持するように構成されている。配線ダクト６は最大離間距離で支持体２とテーブル３の間で突っ張ってそれ以上の離間を規制するように構成されていてもよい。
【００３１】
図５（ａ）に例示した適正受像角θは２台のディスプレイ１を全体で１台とみなせる場合にその中心からの角度として捉えたが、１点からの受像角で捉えられない大型の画面である場合等は、図６（ａ）に実線示すように２台のディスプレイ１、１の各々の適正受像角θｘが重なった部分が着座領域Ａとなるようにテーブル３の位置決めを行うことが望ましい。適正受像角θｘから外れる着座者Ｈ１がいる場合は、同図に破線で示すようにテーブル３をディスプレイ１から引き離してディスプレイ１に対するテーブル３の離間距離ｄを大きくすることで適正受像角θｘに収める調整が可能である。このような調整は、２台のディスプレイ１、１が全体として１台とみなせる図６（ｂ）の場合も同様である。これらの場合、配線ダクト６は、当該支持体２とテーブル３とが上記適正受像角θｘを満たす範囲で離間しても接続状態を維持するように構成されている。
【００３２】
勿論、いくら適正受像角θｘ内、適正離間Ｄｘ１、Ｄｘ２内、適正撮像角φｘ内にあるとしても、図６（ｃ）に示すようにディスプレイ１を背にした着座者Ｈ２までがディスプレイ１を視認できるものではない。すなわち、図５（ｃ）に示すように、人間には眼の視野に入る角度すなわち視野角ψがあり、適正視野角ψｘは、本発明者が実験したところ、安定注視時の適正視野角ψｘ１は６０度〜９０度あたりに、集中時の適正視野角ψｘ２は４５度あたりにあることが確認されている。着座領域Ａを設定する際には、図６（ｃ）に示すように、その着座領域Ａが着座者の適正視野角ψｘを満たす位置であることを条件として加える必要がある。したがって、着座者Ｈ２がいる所は着座領域Ａに含まれない。勿論、着座者Ｈ２がパーソナルコンピュータＰＣを使用して他の者にプレゼンテーションを行う発表者である場合や、一時的にディスプレイ１等を使用せずにミーティングを行う場合には、このような配置も当然可能である。
【００３３】
因みに、図６（ｂ）からもう少しテーブル１を棚４から離せば、ディスプレイ１を使用しないミーティングの際にテーブル１と棚４の間に着座者が椅子Ｃを用いて着座できる隙間を確保することができる。この場合にも配線ダクト６は接続状態を維持し、配線ダクト６と干渉しない範囲でメンバーはテーブル３の長縁部３１ａのどの位置にも着座することができる。
【００３４】
このようにミーティングシステムを構成し、図２に示すようにテーブル３を棚４に突き当てた状態でメンバーがディスプレイ１に向かって椅子Ｃに着座すれば、ディスプレイ１とテーブル３の間に一体感が得られ、着座領域Ａにおいて図５（ａ）、図６（ａ）に示す条件である適正受像角θｘ、適正離間距離Ｄｘ１が得られて、メンバー間でパーソナルコンピュータＰＣよりディスプレイ１に映し出される画像を中心にしてミーティングを進めることができる。
【００３５】
また、テレビ会議の際には図３および図６（ｂ）に示すように支持体２とテーブル３を離して使うことで、着座領域Ａにおいて図５（ａ）、（ｂ），図６（ａ）、（ｂ）に示す条件である適正受像角θｘ、適正撮像角φｘ，適正離間距離Ｄｘ１、Ｄｘ２を得ることができる。
【００３６】
さらに、この実施形態では適正視野角ψも考慮して、楕円のテーブル３の略半周分の領域を着座領域Ａとして設定し、この着座領域Ａにおいて適正受像角θｘ、適正撮像角ψ、適正離間距離Ｄｘが得られるようにしているため、隣接する他の着座者によって画面が遮られるといったことがなく、ディスプレイ１を通じて遠隔地同士でテレビ会議を行う場合にも、画面の向こうにいるいずれの着座者に対しても顔が重ならない状態で対面することができて、平等な条件で会議を行うことができ、相手方との一体感をより高めることが可能となっている。
【００３７】
さらにまた、この実施形態のミーティングシステムは、図７に示すようにテーブル３を９０°回転させて棚４に突き当てても、着座領域Ａにおいて図５（ａ）、（ｂ），図６（ａ）、（ｂ）に示す適正受像角θｘや適正撮像角φｘ，適正離間距離Ｄｘが得られるように構成されている。
【００３８】
なお、テーブル３から出た配線は全て配線ダクト６を通って支持体２の内部に引き込まれ、そこで配線処理されるため、配線が床を這う事態や、ディスプレイ１の周囲に乱雑に配線が引き回される事態が解消され得るものとなっている。このミーティングシステムを展開するには、予め上記の条件を満たす大小、或いは形の違うテーブル１を複数種類用意しておき、その都度目的や用途、人数に応じた適切なテーブル１を選択すれば適切なミーティング環境が整えられるように利用することが一つの効果的な利用の形態につながるものである。
【００３９】
以上のように、本実施形態のミーティングシステムは、画像表示装置であるディスプレイ１を支持する支持体２と、この支持体２の隣接位置に配置されるテーブル３とを組み合わせて構成されるものであって、支持体２とテーブル３の間に両者を突き当てた際に相対的な位置決めをなす位置決め手段たる棚４を設け、テーブル３の使用縁３１に沿った所定範囲であってその使用縁３１から周囲に向かい所定距離離れた位置までの間を複数人が着座可能な着座領域Ａとした場合に、この着座領域Ａがディスプレイ１の特性（主として種類）に応じた適正受像角θｘ内に収まり、且つ、この着座領域Ａがディスプレイ１の特性（主としてサイズ）に応じた適正離間距離Ｄｘ１内に収まるように、位置決め手段たる棚４による支持体２とテーブル３との相対位置が設定されるようにしたものである。
【００４０】
このため、テーブル３を支持体２に対して所定位置に移動させるだけで、位置決め手段たる棚４により着座領域Ａが適正に位置決めされて、画像が見やすい範囲に自ずと着座することができるようになる。このため、テーブル３の位置調整を繰り返す必要もなく、テーブル３は支持体２に対して非拘束であるため必要であればディスプレイ１からテーブル３を離して利用することも可能になる。そして、このような基準で支持体２とテーブル３を構成すれば、ミーティング時には画面により密接しテレビ会議時には少し離れて着座することが必要となる場合や、ディスプレイ１に対してテーブル３の向きを変更したいといった要望、さらには違う種類のテーブルを使いたいといった要請にも応えることができ、人数の増減によってディスプレイ１と着座位置との間の適正距離の変更にも的確に対応することができるようになる。
【００４１】
また、支持体２の棚４の一部に撮像装置支持部４ｘが設定されており、着座領域Ａが棚４に支持された撮像装置たるカメラ５の特性に応じた適正撮像角φｘに収まり、且つ、この着座領域Ａがカメラ５の特性に応じた適正離間距離Ｄｘ２内に収まるように、位置決め手段たる棚４によるテーブル３と撮像装置支持部４ｘとの相対位置が設定されているので、棚４により位置決めされた着座領域Ａは通常のミーティングを行う場合のみならず、テレビ会議的なミーティングを行う場合にも適正化されたものにすることができる。特にこの場合、ディスプレイ１を通じた遠隔地同士のＴＶ会議であってもディスプレイ越しの目線が自然な位置となり、相手方との一体感をより高めることができる。
【００４２】
さらに、支持体２とテーブル３の間を接続する配線ダクト６を設け、着座領域Ａの一部が適正受像角θｘから外れるときに、着座領域Ａが適正受像角θｘ内に収まり、かつ適正距離Ｄｘ１内に収まる位置にまでテーブル３が支持体２から離れても配線ダクト６が配線状態を維持するように構成されているので、人数が多くて適正視野角から外れる場合にも、人数の増減に応じて適切な離間距離をとることができる。
【００４３】
別の観点からすれば、支持体２とテーブル３の間を接続する配線ダクト６を設け、着座領域Ａの一部が適正撮像角φｘ内に収まり、かつ適正距離Ｄｘ２内に収まる位置にまでテーブル３が支持体２から離れても配線ダクト６が配線状態を維持するように構成されているので、通常のミーティングに比べてテレビ会議的にミーティングをする場合の適正離間距離が大きい場合にも、通常のミーティング時とテレビ会議的なミーティング時の各々において適正な離間距離Ｄｘ２をとることができる。
【００４４】
さらに、支持体２が一部に棚４を有し、この棚４がテーブル３と略面一に突き合わせられる位置に配置されて位置決め手段として機能するようにしているので、棚の大きさや形状次第で種々の設定ができる上に、突き合わせた際に棚とテーブルの一体感を得ることができ、棚としても勿論利用することができるようになる。
【００４５】
この場合、棚４の前縁４ａの形状と、テーブル３の対応縁部３１ａの形状とが、所定範囲に亘って突き当たるように関連づけられているので、テーブル３の離間距離ｄのみならずテーブル３の向きが一義的になる上に、棚４とテーブル３が所定範囲に亘り連続することで更に一体感を高めることができる。
【００４６】
上記において、支持体２に対するテーブル３の離間位置が適正離間距離内に収まるように配線ダクト６によって両者間の最大離間距離を規制しておけば、無造作にテーブル３を引き離しても、テーブル３が適正離間距離Ｄｘ１、Ｄｘ２を越える位置まで離れることを有効に防止することができる。
【００４７】
さらにまた、配線ダクト６による接続状態が維持される範囲での最大離間位置において支持体２とテーブル３の間に着座領域が形成されるようにしておけば、できるだけ着席数を確保し、テーブル３の人数対応能力を有効に高めることができるようになる。
【００４８】
以上、本発明の一実施形態について説明したが、各部の具体的な構成は上述した実施形態のみに限定されるものではない。
例えば、上記実施形態では棚の前縁は平面視において緩やかに湾曲する凹状としたが、矩形のものや、その他異形形状であってもよい。また、テーブルの天板の形状も棚の平面視形状に一部対応させた形状（正方形、長方形、台形、異形等）にしてもよい。
その他の構成も、本発明の趣旨を逸脱しない範囲で種々変形が可能である。
【符号の説明】
【００４９】
１…画像表示装置（ディスプレイ）
２…表示装置支持体（支持体）
３…テーブル
４…位置決め手段（棚）
４ｘ…撮像装置支持部
５…撮像装置（カメラ）
３１…使用縁
Ａ…着座領域
Ｄｘ１、Ｄｘ２…適正離間距離
θｘ…適正受像角
φｘ…適正撮像角
ψ…視野角
【図１】
2014093747.tif 000003
【図２】
2014093747.tif 000004
【図３】
2014093747.tif 000005
【図４】
2014093747.tif 000006
【図５】
2014093747.tif 000007
【図６】
2014093747.tif 000008
【図７】
2014093747.tif 000009